(57)【要約】      （修正有）【課題】釣り竿等の先端位置が低くなる位置変化を生じないようにした釣り竿等の支持台を提供する。【解決手段】釣り竿受け等の支持台の基本構成は、万力と一体の台座１上にねじ部２ａを突出状態にねじ部材２が設けてあり、このねじ部材に挿通してあるとともに、所定の角度範囲で回動可能に設けてある下皿３と上皿４の間に挟まれた状態に、所定の厚みと幅を有する円弧状の弓部５ａと、この弓部の一端部に竿受け等の保持部５ｂを有する支持部材５を設けてある。下皿と支持部材と上皿との三者は、ねじ部材に螺合する固定ナット６により重なり状態で固定可能としてある。本考案は上記の弓部の厚みを自由端である他端部側から一端部側に向けて漸増するように形成してあるところに特徴がある。これにより支持部材の保持部５ｂ側に下向きのトルクが働いても、これに対する抵抗が大きくなることから支持部材５は回転不能となる。【選択図】図１
0003147719.tif 000002
【実用新案登録請求の範囲】
【請求項１】
万力手段を備えた門型の台座と、
上記台座の中央部にねじ部を上にした状態に立設してあるねじ部材と、
上記台座上に位置するとともに上記ねじ部材に挿通してある下皿及び上皿と、
所定幅の厚板の部分が円弧状に湾曲しているとともに上記ねじ部材に沿って前後方向へ移動可能な弓部と、当該弓部の一端部側に竿受け等の保持部とを備えており、当該弓部が上記下皿と上皿との間に位置するように設けてある支持部材と、
上記ねじ部に螺合し、上記下皿及び上皿と上記支持部材を上記台座上に固定する固定ナットとからなる竿受け等の支持台において、
上記弓部の厚みは自由端側から上記保持部側に向けて漸増するように形成してある
ことを特徴とする竿受け等の支持台。
【考案の詳細な説明】
【技術分野】
【０００１】
本考案は、主にへら鮒釣りに用いる釣り竿の竿受けや玉置を支持するために用いる釣り竿受け等の支持台に関するものである。
【背景技術】
【０００２】
一般的にへら鮒釣りの用具としては、釣り竿、竿受け、玉置、フラシなどのほかに上述の竿受けや玉置等（以下「釣り竿受け等」という）を支持するための支持台などがある。この釣り竿受け等の支持台（以下「支持台」という）には種々の構造のものがある。その中でも、万力を備えた台座上に弓形の支持部材を円弧運動可能に取り付け、一端部に釣り竿受け等を支持し、支持部材を円弧に沿って揺動させることにより角度調整可能とするものが多く採用されている（例えば特許文献１〜特許文献３）。
【０００３】
弓形の支持部材を備えた支持台としての基本的構造は、図６に示すようなものが多い。これは釣り堀等に設置された、咬まし木Ｋに固定可能な万力を備えた台座６１の中央部に固定ねじ６２をねじ部が上になるように立設し、この固定ねじには台座６１の上部に位置する下皿６３、上皿６４、支持部材６５が各挿通してある。固定ねじ６２の頂部には固定ナット６６が螺着している。支持部材６５は、図６に示すように、横から見た状態が円弧状になっている弓部６５ａの一端部（図面左側）に竿受け等の保持部６５ｂが設けてあり、これには竿受け保持部６５ｃが一体に設けてあるとともに、上部には竿保持部材６７が立設してある。台座６１は釣り堀等に設けてある、咬まし木Ｋに万力６１ａで固定し、支持台の固定ナット６６を緩めて弓部６５ａを所望の状態に位置を調整し、固定ナット６６を再び締め付けることにより竿受け等を所望の角度位置に保持可能としてある。
【０００４】
この台座６１は、図７に示すように、台座６１の前端部に竿受け６８を取り付け、保持部６５ｂ上に立設された竿受け６８と、竿受け６７の先端部に設けてある竿支持部材６８ａに釣り竿を乗せて釣り人の手を休めて魚の食いつきを待機している状態を示している。このときにおける釣り竿６９は、支持部材６５により所定の角度に保持されている。支持部材６５は弓部６５ａと下皿６３の上面及び上皿６４の下面との間の摩擦抵抗により台座６１上に固定されている。
【０００５】
【特許文献１】実開昭６１−７４３７２号公報
【特許文献２】特公平２−４０２９３号公報
【特許文献３】実用新案登録第３００２６６４号
【考案の開示】
【考案が解決しようとする課題】
【０００６】
上述のような状態で釣り人が魚の食いつきを待機している間に、釣り竿等の重みにより支持部材６４が僅かずつ固定ナット６６の締め付けによる摩擦抵抗に抗して辷りを生じ、図６，図７に想像線で示してあるように、徐々に釣り竿の角度が不適切な状態になってしまうことが多く出る。そこで釣り人は上記の固定ナット６６を緩めて弓部６５ａを所望の状態の角度に位置を再調整して固定ナット６６を締め付ける作業を行う必要がある。このような操作は特に冬場など手袋を外して調整しなければならないなど煩わしいものである。本考案はこのような支持部材のずれを防ぐことにより、面倒な支持部材の再調整を不要にする釣り竿受け等の支持台を提供することを課題とするものである。
【課題を解決するための手段】
【０００７】
上記の課題を解決するために、本考案にかかる釣り竿受け等の支持台は、以下の手段を採用することにより以下の作用効果を奏するようにしたものである。この考案は、万力と一体となっている台座上に円弧状に形成してなる弓部を備えた支持部材を位置調整可能に取り付けてある支持台について、以下の手段を採用したものである。この釣り竿受け等の支持台の基本構成は、台座上の中央部にねじ部が突出するようにねじ部材が設けてあり、このねじ部材に挿通してあるとともに所定の角度範囲で回動可能に下皿と上皿が設けてあり、これらの下皿と上皿との間に挟まれた状態に所定の厚みと幅を有する円弧状の弓部及びこの弓部の一端部に竿受け等の保持部を有する支持部材が設けてあり、上記の下皿と支持部材と上皿との三者は、上記のねじ部材に螺合する固定ナットにより重なり状態で上記の台座に固定可能としてある。この支持台において、上記した弓部の厚みは自由端側から保持部側に向けて漸増するように形成してあるところに特徴がある。
【０００８】
上記の構成を採用することにより、釣り竿等の重みにより支持部材を回転させるように力が作用しても、弓部の厚みが自由端側から保持部側に向けて漸増するように形成してあるため、摩擦抵抗にくさびの機能が付加されて、保持部側がねじ部材に沿って低くなる方向への移動を不能にする。したがって、支持部材に釣り竿等の重みによる回転モーメントが作用しても、支持台のずれ発生が阻止され、釣り竿等の先端位置が低くなる位置変化を妨げる。
【考案の効果】
【０００９】
本考案によれば、支持部材の弓部の厚みを自由端である他端部側から一端部側に向けて漸増するように形成してあるため、支持部材の移動が阻止され、釣り竿等の位置に変化を生じさせなくすることができる。これにより、支持部材の位置の再調整をする必要が無くなるため、常に所望の釣り竿等の設置角度を維持可能となる。
【考案を実施するための最良の形態】
【００１０】
以下本考案の実施の形態として、本考案をへら鮒釣り用竿受けの支持台としたものを実施例１とし、へら鮒釣り用の玉置用の支持台としたものを実施例２として説明する。
【実施例１】
【００１１】
図１は、実施例１としての竿受け用支持台の側面図を示し、図２は、この支持台を構成する支持部材の平面図と横断面図を示している。図３は、下皿を上から見た斜視図を示し、図４は、上皿を示している。図１に示すように、支持台Ｓ１は、門型の万力本体からなる台座１のほぼ中央部にねじ部２ａを上に位置させた状態にねじ部材２が立設してある。台座１の両脚部は万力のあごに相当するものであり、一方のあご部１ａには金属製の雌ねじ１ｂが水平に埋設してあり、これには万力のねじ棒１ｃが螺合している。他方のあご部１ｄには１対の金属製牙１ｅが設けてある。上記のねじ部材２を介して下皿３、上皿４及び下皿と上皿との間に支持部材５が取り付けてあり、これらはねじ部材２の先端部に螺合する固定ナット６の締め付けにより台座１に固定可能としてある。
【００１２】
図２は、支持部材５を示している。同図（ａ）に示すように、支持部材５は平行幅の部分と円柱状の部分とからなるが、平行幅の部分は所定幅と厚みを有する円弧状の弓部５ａと、肉厚が大きくかつ幅が外方に向けて漸減するように形成してなる保持部５ｂとからなる。保持部５ｂの先端部には上記の円柱状の部分である竿受け支持部５ｃが形成してある。また、保持部５ｂの上面には釣り竿保持部材７を立設可能な取り付け孔５ｄが設けてある。弓部５ａの中央部には両側部と平行に長溝からなるガイド溝５ｅが貫設してある。弓部５ａの厚みは、自由端５ｆである他端部側から保持部５ｂ側である一端部側に向けて漸増するように形成してある。すなわち、保持部側の厚みｔ１と自由端部側の厚みｔ２とはΔｔ＝ｔ１−ｔ２の差を生じるようにしてある。Δｔの値は、通常１．５〜２．５ｍｍ程度としてある。
【００１３】
図３に示すように、下皿３は平面形状を長円に形成し、底面３ａが平坦であり、上面３ｂは長手方向に沿った円弧凹面とし、その中央部に長手方向に沿って円弧凹面が上記の円弧凹面と平行にするようにガイド突起３ｃが形成してある。ガイド突起３ｃの幅は上記の弓部のガイド溝５ｅと対応するものであり、ガイド突起３ｃがガイド溝５ｅに系合することにより支持部材５の移動方向を拘束可能としてある。また、下皿３の中心部には上記のねじ部材取り付け用挿通孔３ｄが設けてある。
【００１４】
上記の下皿３と対をなす上皿４は、図４に示すように、下皿３と対称的な構成となっている。すなわち、下面４ａが上記の弓部５ａの上面の湾曲面に対応する円弧面となっているのに対し、上皿４の上面は平坦面となっている。上皿４の中央部には弓部材５のガイド溝５ｅに対応するガイド突起４ｃが設けてあるとともに、中心部にねじ部材取り付け用挿通孔４ｄが設けてある。
【００１５】
この支持台Ｓ１の組み立ては、台座１の中心部の下方から垂直に設けてある取り付け孔にねじ部材２を差し込み、上面に突出したねじ部２ａの先端部から下皿３、支持部材５，上皿４を順次挿通し、下皿のガイド突起に弓部５ａのガイド溝５ｅを合わせるとともに、上皿５のガイド突起４ｃをガイド溝５ｅに合わせ、さらに固定ナット6を螺合して仮締めを行う。次に支持部材５の台座１上における水平方向と角度位置を定めた後に固定ナット６を締め付けることにより所望の状態で支持部材の設定が完成する。さらに支持台Ｓ１を付属の万力を用いて咬まし木Ｋに取り付け、竿受けや釣り竿を保持することにより使用可能となる（図７参照）。この支持台は、支持部材の弓部の厚みを他端部側から一端部側に向けて漸増するように形成してあるため、固定ナット6を堅く締め付けておけば、使用中に従来技術のような位置ずれを起こすことが無くなる。
【実施例２】
【００１６】
実施例２は、玉置用の支持台に関するものである。図５は、玉置用の支持台Ｓ２に玉網１８を結わえ付けた玉置１９を支持させた状態を示している。図示してあるように、支持台Ｓ２の基本的な構成は竿受け用支持台Ｓ１と共通するが、玉置１９は釣り上げたへら鮒などを玉網１８に入れたものを支持するものであるため、竿受け用支持台よりもやや頑丈なものとなっている。すなわち全体の構成を竿受け用の支持台よりも大きくしてあり、特に横幅を大きくしてある。
【００１７】
支持台Ｓ２の構成は、台座１１のほぼ中央部にねじ部を上に位置させた状態にねじ部材１２が立設してあり、このねじ部材を介して下皿１３、上皿１４及び支持部材１５が取り付けてあり、これらはねじ部材１２の先端部に螺合する固定ナット１６の締め付けにより固定可能としてあることについては実施例１の支持台Ｓ１と同様である。特に支持部材１５の弓部１５ａは実施例1と同様に自由端１５ｆ側から保持部１５ｂ側に向けて厚みを漸増するように形成してあるので、玉網１８による大きなトルクが作用しても位置ずれを起こすようなことは生じない。
【００１８】
支持部材１５の保持部１５ｂには、玉置１９の取り付け部１９ａが挿着してある。玉置１９は、取り付け部１９ａの先端部がリング状になっており、このリング状になっている枠部１９ｂに玉網１８の上端部が細ひもをからげた状態に結わえ付けてある。玉置１９の設置角度は水平又は１０〜２０°程度、先端が上になるようにしていることが多い。これまでの支持台では玉置が時間の経過により先方の部分が下になる状態にだれてしまうことがあったが、本考案に係る支持台Ｓ２はこのような「だれ」の発生を防止可能となる。
【００１９】
以上説明した支持台の材質は、高級品では黒檀や紫檀などの天然木が採用されているほか、安価なものでは桜や欅などを用いたものがある。このほか、ＡＢＳ樹脂などプラスチック製やアルミニウム合金などの金属製としたものも採用可能である。なお、これらの支持台は主にへら鮒の釣り堀で使用するものとして説明してきたが、上記のほかこの支持台を川釣り船や海釣り船などで使用することも可能である。
【図面の簡単な説明】
【００２０】
【図１】実施例１としての竿受け用支持台を示す側面図である。
【図２】実施例１の支持部材を示したものであり、（ａ）は平面図、（ｂ）は（ａ）の線Ｂ−Ｂの断面図である。
【図３】同下皿を示す斜視図である。
【図４】同上皿を示しており、（ａ）は側面図、（ｂ）は底面図である。
【図５】実施例２としての支持台に玉置を取り付けた状態を示す側面図である。
【図６】従来技術例を示す側面図である。
【図７】従来技術例における使用状態を示す説明図である。
【符号の説明】
【００２１】
１，１１          台座
２，１２          ねじ部材
２ａ，１２ａ      ねじ部
３，１３          下皿
４，１４          上皿
５，１５          支持部材
５ａ，１５ａ      弓部
５ｂ，１５ｂ      竿受け等の保持部
５ｆ，１５ｆ      自由端
６，１６          固定ナット
８                釣り竿受け
１９              玉置
ｔ（ｔ１，ｔ２）  厚み
【図１】
0003147719.tif 000003
【図２】
0003147719.tif 000004
【図３】
0003147719.tif 000005
【図４】
0003147719.tif 000006
【図５】
0003147719.tif 000007
【図６】
0003147719.tif 000008
【図７】
0003147719.tif 000009